(57)【要約】【課題】垂木間の配設ピッチに合わせて、その幅を予め所定値に保持し得、かつ自重での垂れ下がりも可及的に防止し得る、取付作業性に優れた通気層形成部材を提供する。【解決手段】隣接する垂木材間に両側端が固定されて設置され、該垂木材間に充填される断熱材と該垂木材の上側に設けられる野地板とに挟まれて、その設置部位に垂木材の延出方向に沿った通気路１０３ａ，１０３ｂを区画形成する通気層形成部材１０１であり、紙あるいは樹脂を素材とした段ボールで成形され、該通気層形成部材は、該通気路を形成する通気路形成部１０５と、該通気路形成部の両側端に設けられて該垂木材に固定係止される係止部１０７とを有し、該通気路形成部に該垂木材の配設ピッチ方向に拡縮自在な通気路１０３ａ，１０３ｂと該通気路の拡縮を案内して該通気路形成部の該配設ピッチ方向の幅寸法を所定値に保持する案内板１１１とが設けられている。【選択図】  図１
2011012414.tif 000002
【特許請求の範囲】
【請求項１】
隣接する垂木材間に両側端が固定されて設置され、該垂木材間に充填される断熱材と該垂木材の上側に設けられる野地板とに挟まれて、その設置部位に垂木材の延出方向に沿った通気路を区画形成する通気層形成部材であって、紙あるいは樹脂を素材とした段ボールで成形されており、
該通気層形成部材は、該通気路を形成する通気路形成部と、該通気路形成部の両側端に設けられて該垂木材に固定係止される係止部とを有し、
該通気路形成部には、該垂木材の配設ピッチ方向に拡縮自在な通気路と、該通気路の拡縮を案内して該通気路形成部の該配設ピッチ方向の幅寸法を所定値に保持する案内板が設けられている、
ことを特徴とする通気層形成部材。
【請求項２】
請求項１に記載の通気層形成部材であって、
前記通気路は前記段ボールが曲折されて、その通路断面形状が三角形若しくは四角形にに形成され、
前記案内板は、その一端が一方の係止部側に固定されて設けられるとともに他端が他方の係止部に向けて所定長延出されて、該通気路を形成している該段ボールに開口された貫通孔に摺動自在に挿通されている、
ことを特徴とする通気層形成部材。
【請求項３】
請求項１に記載の通気層形成部材であって、
前記通気路は前記段ボールが曲折されて、その通路断面形状が上側に平坦部を有する四角形に形成され、
該平坦部の上面にはスペーサを介して短冊状の押さえ板が貼着されて貫通孔が設けられ、
前記案内板は、一方の係止部側に一端を固定されて、該貫通孔に摺動自在に挿通されて他方の係止部に向けて所定長延出されている、
ことを特徴とする通気層形成部材。
【請求項４】
隣接する垂木材間に両側端が固定されて設置され、該垂木材間に充填される断熱材と該垂木材の上側に設けられる野地板とに挟まれて、その設置部位に垂木材の延出方向に沿った通気路を区画形成する通気層形成部材であって、紙あるいは樹脂を素材とした段ボールで成形されており、
該通気層形成部材は、該通気路を形成する通気路形成部と、該通気路形成部の両側端に設けられて該垂木材に固定係止される係止部とを有し、
該通気路形成部は、該垂木材の配設ピッチ方向に相互に摺動自在に係合して、該垂木材の配設ピッチ方向に拡縮する可変幅通気路を区画形成する第１部材と第２部材とからなる、
ことを特徴とする通気層形成部材。
【請求項５】
請求項４に記載の通気層形成部材であって、
前記第１部材は矩形筒体状をなして前記配設ピッチ方向の幅が拡縮しない固定幅通気路を形成しており、
前記第２部材はコ字状をなしてその上下の板部が該固定幅通気路の上壁面と下壁面との外周に摺動可能に覆い被さって、該固定幅通気路の側壁面とによって前記配設ピッチ方向の幅が拡縮可能な可変幅通気路を形成し、
該第１部材には、該固定幅通気路を画成する上壁と下壁とに対をなす係合孔が該垂木材の配設ピッチ方向に沿って所定長に亘って形成され、
該第２部材には、該第１部材の対をなす上下の係合孔を貫通して、該第２部材の上下の板部を繋ぐ係合板が設けられている、
ことを特徴とする通気層形成部材。
【請求項６】
請求項４に記載の通気層形成部材であって、
前記第１部材と前記第２部材とは矩形筒体状をなして配設ピッチ方向の幅が拡縮しない固定幅通気路をそれぞれ有して、それぞれの一側には前記係止部が設けられ、
該第１部材には、その固定幅通気路の上壁を形成する段ボールが該第１部材の係止部とは反対側に所定長延出されて該第２部材の固定幅通気路の上壁面に摺動自在に係合する摺動板が設けられるとともに、該第２部材には、その固定幅通気路の下壁を形成する段ボールが該第２部材の係止部とは反対側に所定長延出されて該第１部材の固定幅通気路の下壁面に摺動自在に係合する摺動板が設けられ、
該第２部材の固定幅通気路の上壁面と該第１部材の固定幅通気路の下壁面とには、対応する摺動板を摺動自在に支持して係合する係合板がそれぞれ設けられ、
該第１部材と前記第２部材との間に可変幅通気路が区画形成される、
ことを特徴とする通気層形成部材。
【発明の詳細な説明】
【技術分野】
【０００１】
本発明は、垂木材間に充填される断熱材とこの垂木材の上側に設けられる野地板とに挟まれて設置され、その設置部位に垂木材の延出方向に沿った通気路を区画形成する通気層形成部材の改良に関する技術である。
【背景技術】
【０００２】
従来より、住宅にあっては、図６に示すように、屋根１の野地板３の下に所定の配設ピッチで並行して設けられている多数の垂木材５間に断熱材７を充填して高断熱化を図っているが、当該断熱材７を施工するに際して、断熱材７と野地板３との間に通気層９を形成することが一般化している。
【０００３】
ここで、当該通気層９を形成するための技術として、例えば実用新案登録第３１２７０４３号公報に記載されている通気層確保部材が知られている。この通気層確保部材１１は、段ボールを素材にして、図７に示すように、垂木材と接する２辺の各縁部１１ａに山形に折曲された第１の凸部１３が設けられるとともに、それら第１の凸部１３，１３の間に、同様に山形に折曲された第２の凸部１５が１つ以上設けられている。即ち、これら第１と第２の凸部１３，１５の各折り曲げ角度を変えることによって、当該通気層確保部材１１における垂木材の配設ピッチ方向の幅を大小に拡縮調整可能にしたものであり、建築する住宅の仕様によって異なる垂木の配設ピッチに拘わらずに、その配設ピッチに柔軟に対応し得るようになっている。
【先行技術文献】
【特許文献】
【０００４】
【特許文献１】実用新案登録第３１２７０４３号公報
【発明の概要】
【発明が解決しようとする課題】
【０００５】
しかしながら、上記従来の通気層確保部材１１にあっては、垂木材５の配設ピッチに合わせてその幅を予め所定値に保持しておくことが困難であり、設置時に作業者がその幅を手で調節しながら両端を垂木材５に固定係止しなければならず、その作業が面倒であった。
【０００６】
さらに、垂木材に野地板３を取り付けてしまった後から、当該通気層確保部材１１を設置する場合には、下方から野地板３に押し当てながら垂木材５に両側部を固定係止する取付作業となるが、この際には、通気層確保部材１１がその自重で第１及び第２の凸部１３，１５の折曲線に沿って垂れ下がってしまい易く、その取付作業は一層困難で面倒になるという課題があった。
【０００７】
本発明は、上記のような従来の問題に鑑みなされたものであって、その目的は、垂木間の配設ピッチに合わせて、その幅を予め所定値に保持しておくことができ、かつ自重で垂れ下がってしまうことも可及的に防止し得る、取付作業性に優れた通気層形成部材を提供することにある。
【課題を解決するための手段】
【０００８】
かかる目的を達成するために請求項１に示す発明は、隣接する垂木材間に両側端が固定されて設置され、該垂木材間に充填される断熱材と該垂木材の上側に設けられる野地板とに挟まれて、その設置部位に垂木材の延出方向に沿った通気路を区画形成する通気層形成部材であって、紙あるいは樹脂を素材とした段ボールで成形されており、該通気層形成部材は、該通気路を形成する通気路形成部と、該通気路形成部の両側端に設けられて該垂木材に固定係止される係止部とを有し、該通気路形成部には、該垂木材の配設ピッチ方向に拡縮自在な通気路と、該通気路の拡縮を案内して該通気路形成部の該配設ピッチ方向の幅寸法を所定値に保持する案内板が設けられている、ことを特徴とする。
【０００９】
請求項２に示す発明は、請求項１に記載の通気層形成部材であって、前記通気路は前記段ボールが曲折されて、その通路断面形状が三角形若しくは四角形にに形成され、前記案内板は、その一端が一方の係止部側に固定されて設けられるとともに他端が他方の係止部に向けて所定長延出されて、該通気路を形成している該段ボールに開口された貫通孔に摺動自在に挿通されている、ことを特徴とする。
【００１０】
請求項３に示す発明は、請求項１に記載の通気層形成部材であって、前記通気路は前記段ボールが曲折されて、その通路断面形状が上側に平坦部を有する四角形に形成され、該平坦部の上面にはスペーサーを介して短冊状の押さえ板が貼着されて貫通孔が設けられ、前記案内板は、一方の係止部側に一端を固定されて、該貫通孔に摺動自在に挿通されて他方の係止部に向けて所定長延出されている、ことを特徴とする。
【００１１】
請求項４に示す発明は、隣接する垂木材間に両側端が固定されて設置され、該垂木材間に充填される断熱材と該垂木材の上側に設けられる野地板とに挟まれて、その設置部位に垂木材の延出方向に沿った通気路を区画形成する通気層形成部材であって、紙あるいは樹脂を素材とした段ボールで成形されており、該通気層形成部材は、該通気路を形成する通気路形成部と、該通気路形成部の両側端に設けられて該垂木材に固定係止される係止部とを有し、該通気路形成部は、該垂木材の配設ピッチ方向に相互に摺動自在に係合して、該垂木材の配設ピッチ方向に拡縮する可変幅通気路を区画形成する第１部材と第２部材とからなる、ことを特徴とする。
【００１２】
請求項５に示す発明は、請求項４に記載の通気層形成部材であって、前記第１部材は矩形筒体状をなして前記配設ピッチ方向の幅が拡縮しない固定幅通気路を形成しており、前記第２部材はコ字状をなしてその上下の板部が該固定幅通気路の上壁面と下壁面との外周に摺動可能に覆い被さって、該固定幅通気路の側壁面とによって前記配設ピッチ方向の幅が拡縮可能な可変幅通気路を形成し、該第１部材には、該固定幅通気路を画成する上壁と下壁とに対をなす係合孔が該垂木材の配設ピッチ方向に沿って所定長に亘って形成され、
該第２部材には、該第１部材の対をなす上下の係合孔を貫通して、該第２部材の上下の板部を繋ぐ係合板が設けられている、ことを特徴とする。
【００１３】
請求項６に示す発明は、請求項４に記載の通気層形成部材であって、前記第１部材と前記第２部材とは矩形筒体状をなして配設ピッチ方向の幅が拡縮しない固定幅通気路をそれぞれ有して、それぞれの一側には前記係止部が設けられ、該第１部材には、その固定幅通気路の上壁を形成する段ボールが該第１部材の係止部とは反対側に所定長延出されて該第２部材の固定幅通気路の上壁面に摺動自在に係合する摺動板が設けられるとともに、該第２部材には、その固定幅通気路の下壁を形成する段ボールが該第２部材の係止部とは反対側に所定長延出されて該第１部材の固定幅通気路の下壁面に摺動自在に係合する摺動板が設けられ、該第２部材の固定幅通気路の上壁面と該第１部材の固定幅通気路の下壁面とには、対応する摺動板を摺動自在に支持して係合する係合板がそれぞれ設けられ、該第１部材と前記第２部材との間に可変幅通気路が区画形成される、ことを特徴とする。
【発明の効果】
【００１４】
本発明に係る通気層形成部材によれば、建築する住宅の仕様によって異なる垂木間の配設ピッチに合わせて、その幅を予め所定値に保持しておくことができ、かつ自重で垂れ下がってしまうことも可及的に防止することができて、取付作業性に優れる通気層形成部材を提供することができる。
【図面の簡単な説明】
【００１５】
【図１】本発明の第１実施形態に係る通気層形成部材を示し、（ａ）は平面図、（ｂ）は側面図、（ｃ）は拡幅した時の側面図である。
【図２】本発明の第２実施形態に係る通気層形成部材を示し、（ａ）は平面図、（ｂ）は側面図、（ｃ）は拡幅した時の側面図である。
【図３】本発明に係る通気層形成部材の第３実施形態を示し、（ａ）は平面図、（ｂ）は側面図、また(ｃ)は通気層形成部材の幅を縮めた時の側面図である。
【図４】本発明に係る通気層形成部材の第４実施形態を示し、（ａ）は平面図、（ｂ）は側面図、(ｃ)は底面図であって、その幅が拡大されている状態を示している。
【図５】図４の通気層形成部材の幅を縮めた状態を示し、（ａ）は平面図、（ｂ）は側面図である。
【図６】通気層形成部材の設置状態を説明するための斜視図であり、従来と本発明とに共通するものである。
【図７】従来の通気層確保部材を示す斜視図である。
【発明を実施するための形態】
【００１６】
以下に、本発明に係る通気層形成部材の実施の形態について添付図面に基づき詳述する。本発明に係る通気層形成部材は、基本的に図６の従来例にて示したものと同様に、隣接する垂木材５，５間に両側端が固定されて設置されて、これらの垂木材５，５間に充填されるグラスウール等の断熱材７と当該垂木材７の上側に設けられる野地板３とに挟まれて、その設置部位に垂木材５，５の延出方向に沿った通気路を区画形成するものであり、紙あるいは樹脂を素材とした段ボールで成形される。以下に、その実施形態として４種類のものを順次に説明する。
【００１７】
＝＝＝第１実施形態＝＝＝
図１は本発明に係る通気層形成部材の第１実施形態を示し、（ａ）は平面図、（ｂ）は側面図、また(ｃ)は通気層形成部材の幅を広げた時の側面図である。
【００１８】
同図に示すように、通気層形成部材１０１は、通気路１０３を形成する通気路形成部１０５と、この通気路形成部１０５の両側端に設けられて前記垂木材に固定係止される係止部１０７ａ，１０７ｂとを有している。そして、通気路形成部１０５には、垂木材の配設ピッチ方向に拡縮自在な通気路１０３ａ，１０３ｂと、この通気路１０３ａ，１０３ｂの拡縮を案内して通気路形成部１０５の前記配設ピッチ方向の幅寸法を任意の所定値に保持する案内板１１１とが設けられている。
【００１９】
当該第１実施形態の通気路１０３ａ，１０３ｂは、素材である１枚の段ボールがＶ字状若しくはＵ字状に曲折されて、その通路断面形状が三角形若しくは四角形になるように形成されている。図示例では段ボールがＵ字状に曲折されて断面四角形状をなす通気路１０３ａが両側部に沿って２つ形成され、その２本の通気路１０３ａ間には段ボールがＶ字状に連続曲折されて断面三角形状をなす通気路１０３ｂが５つ形成されている。そして、両側部の四角形断面をなす通気路１０３ａには、段ボールの側端縁が互いに逆方向に平坦に延びて形成された係止部１０７ａ，１０７ｂが設けられ、当該係止部１０７ａ，１０７ｂがそれぞれ垂木材に接してステープルや釘等によって固定係止されるようになっている。
【００２０】
ここで、両側部に配されて四角形断面をなす２つの通気路１０３ａは、その底壁１０９ａ，１０９ｂが互いに同じ高さになるように設定されている。また、三角形断面をなす通気路１０３ｂは、その上側の各頂点が係止部１０７ａ，１０７ｂの高さにほぼ一致される一方、下側の各頂点が四角形断面の通気路１０３ａの底壁１０９ａ，１０９ｂよりも下方に突出されている。
【００２１】
前記案内板１１１は、その一端が一方の係止部１０７ａ側に固定されて設けられるとともに、他端が他方の係止部１０７ｂに向けて所定長延出され、かつ三角形断面の通気路１０３ｂを形成している部分の段ボールに開口された貫通孔１１３に摺動自在に挿通されている。当該図示例の案内板１１１では、その一端は一方の係止部１０７ａに隣接した四角形断面の通気路１０３ａの底壁１０９ａ内側面に貼着されて設けられており、その他端は三角形断面の通気路１０３ｂを形成している部分の段ボールに開口された貫通孔１１３に挿通されて他方の係止部１０７ｂに隣接した四角形断面の通気路１０３ａの底壁１０９ｂ内側面上に至り、当該底壁１０９ｂ内側面上を摺動するようになっている。
【００２２】
また、案内板１１１の延出端の先端には、切れ込みによってＴ字状に形成されて下方に折曲可能な係合片１１５が設けられている。そして、四角形断面の通気路１０３ａの底壁１０９ｂには当該係合片１１５を係止する係合孔１１７が開口されており、係合片１１５は下方に押し曲げられて係合孔１１７に挿通係合されるようになっている。ここで、当該係合孔１１７はその開口位置を種々の建物仕様に準拠した垂木材の配設ピッチ寸法に合わせて複数設けられており、この様に係合孔１１７を複数設けておけば、建物仕様の配設ピッチ寸法に基づいて係合片１１５を係合させる係合孔１１７を適宜に選択することで、図１（ｂ）及び（ｃ）に示すように通気層形成部材１０１の幅を上記配設ピッチに適合させて予め容易に設定して保持しておくことが可能となる。また、上記案内板１１１は同様にして平行に一対で設けられている。
【００２３】
なお、上記係合片１１５と係合孔１１７とは必ずしも設けなくても良い。これら係合片１１５と係合孔１１７とが無くても、案内板１１１が段ボールに開口された貫通孔１１３に摺動自在に挿通されているから、通気路形成部１０５の幅を任意の所定値に調節すればその案内板１１１と貫通孔１１３との間の摩擦で当該幅寸法は保持されることになる。
【００２４】
また、通気路１０３ａ，１０３ｂはその段ボールの折曲線が平行に設けられるから、通気路形成部１０５は自重で各折曲線に沿って折れ曲がって垂れ下がり易くなるが、当該折曲線に直交して案内板１１１が設けられているので、当該案内板１１１に剛性を高められつつ支持されてその垂れ下がりが可及的に防止される。
【００２５】
そして、当該通気層形成部材１０１を設置するにあたっては（図  参照）、予めその幅を垂木材５，５の配設ピッチに適合させて調節しておき、その幅方向両側の係止部１０７ａ，１０７ｂを隣接する垂木材５，５間に掛け渡して、当該係止部１０７ａ，１０７ｂを垂木材５，５にステープルや釘等によって固定係止させれば良い。爾後、垂木材５，５の上に野地板３を固定するとともに、その垂木材５，５間に下方から断熱材７を充填する。
【００２６】
また、垂木材５，５上に野地板３を固定してしまった後から当該通気層形成部材１０１を設置する場合には、図１（ｂ）若しくは（ｃ）に示す状態の通気層形成部材１０１を、その天地を逆にするとともに両係止部１０７ａ，１０７ｂをその垂木材５，５の側面に沿わせて下方から当該垂木材５，５間に挿入して、通気層形成部材１０１を野地板３の下面に突き当てた状態で係止部１０７ａ，１０７ｂをステープルや釘等によって垂木材５，５の側面に固定係止させればよい。
【００２７】
即ち、通気層形成部材１０１はその幅調節が容易で、種々の建物仕様に準じた幅寸法に簡単に対応させることができて汎用性に優れたものとなる。しかも、案内板１１１によってその剛性が高められて垂れ下がりが可及的に防止されるから、設置時にあっても容易にその取付作業を行うことができるようになる。
【００２８】
なお、図１の図示例では、三角形断面の通気路１０３ｂの下部側の頂点は四角形断面の通気路１０３ａの底壁１０９ａ，１０９ｂよりも下方に突出させているが、当該下部側の頂点部分は案内板１１１の下面に沿わせて平坦に形成する様にしてもよい。この場合、その上方に区画形成される通気路は四角形断面となる。
【００２９】
＝＝＝第２実施形態＝＝＝
図２は本発明に係る通気層形成部材の第２実施形態を示し、（ａ）は平面図、（ｂ）は側面図、また(ｃ)は通気層形成部材の幅を広げた時の側面図である。
【００３０】
同図に示すように、通気層形成部材２０１は、通気路２０３ａ，２０３ｂを形成する通気路形成部２０５と、この通気路形成部２０５の両側端に設けられて前記垂木材に固定係止される係止部２０７ａ，２０７ｂとを有している。そして、通気路形成部２０５には、垂木材の配設ピッチ方向に幅を拡縮自在な通気路２０３ａ，２０３ｂと、この通気路２０３ａ，２０３ｂの拡縮を案内して通気路形成部２０５の前記配設ピッチ方向の幅寸法を任意の所定値に保持する案内板２１１とが設けられている。
【００３１】
当該第２実施形態にあっては、上記通気路２０３ａ，２０３ｂは、素材である１枚の段ボールが所定高さで交互にＵ字状に曲折されて、その通路断面形状が上下に平坦部を有した四角形になるように形成されている。また、両側部に形成される２つの通気路２０３ａは、それらの間に形成される５つの通気路２０３ｂよりも大きく設定されて同形・同サイズに形成されている。そして、両側部の通気路２０３ａには、段ボールの側端縁が互いに逆方向に平坦に延びて形成された係止部２０７ａ，２０７ｂが設けられ、当該係止部２０７ａ，２０７ｂがそれぞれ垂木材に接してステープルや釘等によって固定係止されるようになっている。
【００３２】
また、両側部の２つの通気路２０３ａ間に形成される５つの通気路２０３ｂも段ボールが交互にＵ字状に曲折されて同形・同サイズに設定される。そして、当該通気路２０３ｂの上側の平坦部を形成している上壁２１３には、その上面にスペーサー２１５を介して短冊状の押さえ板２１７が貼着されて、当該上壁２１３の上面に貫通孔２１９が設けられている。
【００３３】
前記案内板２１１は、一方の係止部２０７ａ側に一端を固定されて、上記貫通孔２１９に摺動自在に挿通されて他方の係止部２０７ｂに向けて所定長延出されている。ここで、当該図示例にあっては、案内板２１１はその一端が下方に折り曲げられて一方の係止部２０７ａに隣接する通気路２０３ａの側壁２２１に貼着され、他端が他方の係止部２０７ｂに向けて所定長延出されて、上記貫通孔２１９に挿通されている。また、案内板２１１の延出端上面には貫通孔２１９からの抜けを防止するためのストッパー２２３が貼着されている。
【００３４】
また、当該図示例では、上記案内板２１１及び貫通孔２１９は同様の構成で一対で設けられており、その片方の案内板２１１は上述のように、一方の係止部２０７ａ側にその一端が貼着されて固定係止され、もう片方の案内板２１１は他方の係止部２０７ｂ側にその一端が貼着されて固定係止されている。
【００３５】
そして、以上のように構成されるこの第２実施形態の通気層形成部材２０１にあっても、前述の第1実施形態の場合と同様に。上記案内板２１１は貫通孔２１９に摺動自在に挿通されているから、通気路形成部２０５の幅を任意の所定値に調節すればその案内板２１１と貫通孔２１９との間の摩擦で当該幅寸法は保持されることになる。
【００３６】
また、通気路２０３ａ，２０３ｂはその段ボールの折曲線が平行に設けられるから、通気路形成部２０５は自重で各折曲線に沿って折れ曲がって垂れ下がり易くなるが、当該折曲線に直交して案内板２１１が設けられているので、通気層形成部材２０１は当該案内板２１１に剛性を高められつつ支持されて、その垂れ下がりが可及的に防止される。
【００３７】
また、当該第２実施形態の通気層形成部材２０１にあっても、前述の第１実施形態の通気層形成部材と同様にして垂木材間に取付設置される。
【００３８】
即ち、通気層形成部材２０１はその幅調節が容易で、種々の建物仕様に準じた幅寸法に簡単に対応させることができて汎用性に優れたものとなる。しかも、案内板２１１によってその剛性が高められて垂れ下がりが可及的に防止されるから、設置時にあっても容易にその取付作業を行うことができるようになる。
【００３９】
＝＝＝第３実施形態＝＝＝
図３は本発明に係る通気層形成部材の第３実施形態を示し、（ａ）は平面図、（ｂ）は側面図、また(ｃ)は通気層形成部材の幅を縮めた時の側面図である。
【００４０】
この第３実施形態の通気層形成部材３０１は、通気路３０３ａ，３０３ｂを形成する通気路形成部３０５と、この通気路形成部３０５の両側端に設けられて垂木材に固定係止される係止部３０７ａ，３０７ｂとを有している。そして、通気路形成部３０５は、前記垂木材の配設ピッチ方向に相互に摺動自在に係合して、垂木材の配設ピッチ方向に拡縮する可変幅通気路３０６ｂを区画形成する第１部材３２５と第２部材３２７とからなっている。
【００４１】
第１部材３２５は１枚の段ボールが矩形筒体状に折曲形成されて、前記配設ピッチ方向の幅が拡縮しない固定幅通気路３０３ａを形成しており、その固定幅通気路３０３ａの上壁３２９ａを形成している段ボールの端縁が側方に所定長さ突出されて上記係止部３０７ａを一体的に形成している。
【００４２】
第２部材３２７は１枚の段ボールがコ字状に折曲形成されてなり、その上下の板部３３１ａ，３３１ｂが第１部材３２５の固定幅通気路３０３ａにおける上壁３２９ａの上面と下壁３２９ｂの下面との外周にそれぞれ摺動可能に覆い被さって設けられている。そして、当該第２部材３２７の内周面と第１部材３２５の固定幅通気路３０３ａの側壁面３２９ｃとによって、前記配設ピッチ方向に幅が拡縮可能な可変幅通気路３０３ｂが区画形成されている。また、コ字状に形成された側板部３３１ｃの外面には、その側板部３３１ｃの全長に亘って板材３０６が貼着され、この板材３０６の上部側が側板部の上端で側方に折れ曲がって係止部３０７ａを形成している。
【００４３】
また、第１部材３２５には、固定幅通気路３０３ａを区画形成する上壁３２９ａと下壁３２９ｂとに、上下で対をなす矩形の係合孔３３３が２組設けられ、この係合孔３３３は垂木材の配設ピッチ方向に沿って所定長に亘って延びて長四角状に形成されている。
【００４４】
また、第２部材３２７には、第１部材３２５に形成されて対をなす上下の係合孔３３３を貫通して、第２部材３２７の上下の板部３３１ａ，３３１ｂを繋ぐ係合板３３５が設けられている。そして、この係合板３３５はその幅が上記係合孔３３３の短辺方向の幅寸法に対応されて形成されている。当該図示例にあっては、当該係合板３３５は第２部材３２７の下側の板部３３１ｂが矩形に切り起こされて上記係合孔３３３に挿通され、その先端が折り曲げられて当該第２部材３２７の上板部３３１ａの上面に貼着されることによって形成されている。また、上下の板部３３１ａ，３３１ｂには係合孔３３３に対応する溝部３３５ａが形成されている。
【００４５】
そして、以上のように構成されるこの第３実施形態の通気層形成部材３０１にあっても、前述の第１実施形態の通気層形成部材１０１と同様にして垂木材間に取付設置される。
【００４６】
即ち、この通気層形成部材３０１にあっては、互いに摺動して相対的に近接離間移動する第１部材３２５と第２部材３２７とによって幅寸法が拡縮する可変幅通気路３０３ｂを形成して、当該可変幅通路３０３ｂの拡縮により通気層形成部材３０１の幅を所望する任意の設定値に調節可能となしたので、その幅調節が容易で、種々の建物仕様に準じた幅寸法に簡単に対応させることができて汎用性に優れたものとなる。
【００４７】
また、取付設置に際しても、予め所望する所定値幅に調節しておけば、第１部材３２５と第２部材３２７とは、それらの間の摺動部の摩擦によってその位置関係を保持されて、簡単には相対移動を来すことはないので、当該幅寸法を容易に維持したまま取付けることができる。さらに、第１部材３２５は矩形筒体状をなすので形状的にその剛性が高く、また第２部材３２７はその第１部材３２５の上壁３２９ａと下壁３２９ｂとの外周面に覆い被さって摺動自在に係合され、かつ係合板３３５によって上下の板部３３１ａ，３３１ｂが相互に連結されるから、当該第２部材３２７の剛性の高いものとなり、通気層形成部材３０１全体としての強度は従来のものに比して格段に優れたものとなり、垂れ下がりを生じることがない。よって設置時にあっても容易にその取付作業を行うことができるようになる。
【００４８】
＝＝＝第４実施形態＝＝＝
図４は本発明に係る通気層形成部材の第４実施形態を示し、（ａ）は平面図、（ｂ）は側面図、(ｃ)は底面図であって、その幅が拡大されている状態を示している。また、図５は当該通気層形成部材の幅を縮めた状態を示し、（ａ）は平面図、（ｂ）は側面図である。
【００４９】
この第４実施形態の通気層形成部材４０１は、通気路４０３ａ，４０３ｂを形成する通気路形成部４０５と、この通気路形成部４０５の両側端に設けられて垂木材に固定係止される係止部４０７ａ，４０７ｂとを有している。
【００５０】
そして、上記通気路形成部４０５は、前記垂木材の配設ピッチ方向に相互に摺動自在に係合する第１部材４２５と第２部材４２７とからなっている。これら第１部材４２５と第２部材４２７とは、共に同形・同サイズの矩形筒体部４２５ａ，４２７ａを有していて、当該矩形筒体部４２５ａ，４２７ａが垂木材の配設ピッチ方向にその幅が拡縮しない固定幅通気路４０３ａを形成している。そして、第１部材４２５と第２部材４２７とには、それぞれの相互に離反する一側部に前記係止部４０７ａ，４０７ｂが設けられている。
【００５１】
また、上記第１部材４２５には、図４（ａ），（ｂ）に示すように、その固定幅通気路４０３ａの上壁４２９ａを形成する段ボールが当該第１部材４２５の係止部４０７ａとは反対側に向けて所定長延出されて第１摺動板４３１が設けられている。そして、この第１摺動板４３１には、第２部材４２７の固定幅通気路４０３ａを区画形成する上壁４３３ａの上面と相互に摺動自在に係合させるための一対の並行な係合孔４３５が、垂木材の配設ピッチ方向に沿って所定長に亘って延びて開口形成されている。ここで、当該図示例では、その一対の係合孔４３５は第１摺動板４３１に２組設けられている。
【００５２】
一方、第２部材４２７における固定幅通気路４０３ａの上壁４３３ａの上面には、上記一対２組の係合孔４３５に対応されて、２つの係合板４３７が設けられている。当該係合板４３７は第１摺動板４３１と同じ厚みのスペーサ４３９を介して当該第２部材４２７の固定幅通気路４０３ａの上壁４３３ａの上面に貼着固定されており、スペーサ４３９はそれぞれ一対の係合孔４３５に対応する位置に貼着されて当該係合孔４３５内をこれに沿って相対移動し、係合板４３７は第１摺動板４３１の上面に摺接しながら相対移動するようになっている。
【００５３】
また、同様にして、上記第２部材４２７には、図４（ｂ），（ｃ）に示すように、その固定幅通気路４０３ａの下壁４３３ｂを形成する段ボールが当該第２部材４２７の係止部４０７ａとは反対側に向けて所定長延出されて第２摺動板４４１が設けられている。そして、この第２摺動板４４１には、第１部材４２５の固定幅通気路４０３ａを区画形成する下壁下面と相互に摺動自在に係合させるための一対の並行な係合孔４３５が、垂木材の配設ピッチ方向に沿って所定長に亘って延びて開口形成されている。当該一対の係合孔４３５も第２摺動板４４１に２組設けられている。
【００５４】
一方、第１部材４２５における固定幅通気路４０３ａの下壁４２９ｂ下面  には、同様にして、上記一対２組の係合孔４３５に対応されて、２つの係合板４３７が設けられている。当該係合板４３７は第２摺動板４４１と同じ厚みのスペーサ４３９を介して当該第１部材４２５の固定幅通気路４０３ａの下壁４２９ｂ下面に貼着固定されており、スペーサ４３９はそれぞれ一対の係合孔４３５に対応する位置に貼着されて当該係合孔４３５内をこれに沿って相対移動し、係合板４３７は第２摺動板４４１の下面に摺接しながら相対移動するようになっている。
【００５５】
即ち、第１部材４２５と第２部材４２７との間には、両部材が摺動して近接乃至離間方向に相対移動すると、それに伴って垂木材の配設ピッチ方向に幅が縮小乃至拡大する可変幅通気路４０３ｂが区画形成されることになる。そして、図５に示すように、第１部材４２５と第２部材４２７とが最も近接されてそれらの矩形筒体部４２５ａと４２７ａとが当接されると可変幅通気路は形成されないことになる。
【００５６】
そして、以上のように構成されるこの第４実施形態の通気層形成部材４０１にあっても、前述の第１実施形態の通気層形成部材１０１と同様にして垂木材間に取付設置される。
【００５７】
即ち、この通気層形成部材４０１にあっても、前述の第３実施形態と同様に、互いに摺動して相対的に近接離間移動する第１部材４２５と第２部材４２７とによって幅寸法が拡縮する可変幅通気路４０３ｂを形成して、当該可変幅通路４０３ｂの拡縮により通気層形成部材４０１の幅を所望の設定値に調節可能となしたので、その幅調節が容易で、種々の建物仕様に準じた幅寸法に簡単に対応させることができて汎用性に優れたものとなる。
【００５８】
また、取付設置に際しても、予め所望の所定値幅に調節しておけば、第１部材４２５と第２部材４２７とはそれらの間の摺動部の摩擦によって保持されて、簡単には相対移動を来すことはないので、当該幅寸法を容易に維持したまま取付けることができる。
【００５９】
さらに、第１部材４２５と第２部材４２７とは、共に矩形筒体状をなすので形状的にその剛性が高く、さらに第１摺動板４３１と第２摺動板４４１とによって、上下両側で相互に摺動移動自在に係合されるから、通気層形成部材３０１全体としての強度は従来のものに比して格段に優れたものとなり、垂れ下がりを生じることがない。よって設置時にあっても容易にその取付作業を行うことができるようになる。
【００６０】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００６１】
即ち、例えば各通気層形成部材１０１，２０１，３０１，４０１には、その段ボール素材の表面にアルミ箔もしくはアルミ蒸着シート等を貼着してその断熱性を高めるようにしても良い。また、火災時の火炎に晒されて加熱されると塗膜が発泡膨潤して炭化層となり、この炭化層の断熱性により基材を火災から保護し得るようにした発泡耐火塗装剤を、各通気層形成部材１０１，２０１，３０１，４０１の段ボール素材の表面に塗布するようにしても良い。
【符号の説明】
【００６２】
1  屋根
3  野地板
5  垂木材
7  断熱材
101、201、301、401  通気層形成部材
103a、103b、203a、203b、303a、303b、403a、403b  通気路
105、205、305、405  通気路形成部
107a、107b、207a、207b、307a、307b、407a、407b  係止部
109a、109b  底壁
111、211  案内板
113、219  貫通孔
213  上壁（平坦部）
215、439  スペーサ
217  押さえ板
325、425  第１部材
327、427  第２部材
303a、403a  固定幅通気路
303b、403b  可変幅通気路
329a、429a  上壁
329b、429b  下壁
333、435  係合孔
335、437  係合板
431、441  摺動板
【図１】
2011012414.tif 000003
【図２】
2011012414.tif 000004
【図３】
2011012414.tif 000005
【図４】
2011012414.tif 000006
【図５】
2011012414.tif 000007
【図６】
2011012414.tif 000008
【図７】
2011012414.tif 000009